(57)【要約】【課題】Ｘ線管の特性に着目して、冷却用流体の温度変化によらずに、必要最小限の冷却を早期に行う。【解決手段】Ｘ線管に入力する管電圧、管電流および撮影時間に基づいてＸ線照射に伴って発生する熱量を発生熱量算出手段１８で算出し、ファン９の回転数と運転時間とに基づいてＸ線管に対する冷却熱量を冷却熱量算出手段２１で算出し、発生熱量算出手段１８で算出される発生熱量と冷却熱量算出手段２１で算出される冷却熱量とに基づいて、Ｘ線管に蓄積される熱量を蓄積熱量算出手段２２で算出する。蓄積熱量算出手段２２で算出される蓄積熱量に基づき、算出蓄積熱量が設定値以上のときには、ファン９の回転数を最大にし、一方、算出蓄積熱量が設定値未満のときには、ファン９の回転数を段階的に減少させる。【選択図】図３
2008053061.tif 000002
【特許請求の範囲】
【請求項１】
被検体にＸ線を照射するＸ線管と、前記Ｘ線管から照射されて被検体を透過したＸ線を受光するＸ線検出手段と、前記Ｘ線管と配管を介して接続される熱交換器と、前記Ｘ線管と前記熱交換器とにわたって冷却用流体を循環するポンプと、前記熱交換器に付設されて前記Ｘ線管を経た冷却用流体を冷却するために空気を吹き付けるファンとを備えたＸ線撮影装置の冷却システムにおいて、
前記Ｘ線管に入力する管電圧、管電流および撮影時間に基づいてＸ線照射に伴って発生する熱量を算出する発生熱量算出手段と、前記ファンまたはポンプの回転数と運転時間とに基づいて前記Ｘ線管に対する冷却熱量を算出する冷却熱量算出手段と、前記発生熱量算出手段で算出される発生熱量と前記冷却熱量算出手段で算出される冷却熱量とに基づいて前記Ｘ線管に蓄積される熱量を算出する蓄積熱量算出手段と、前記蓄積熱量算出手段で算出される蓄積熱量に基づいて算出蓄積熱量が多いほど前記ファンまたはポンプの回転数が高くなるように前記ファンまたはポンプの回転数を制御する冷却制御手段と、を備えたことを特徴とするＸ線撮影装置の冷却システム。
【請求項２】
請求項１に記載のＸ線撮影装置の冷却システムにおいて、
冷却制御手段を、蓄積熱量算出手段で算出される蓄積熱量が設定値以上のときにはファンまたはポンプの回転数を最大にし、設定値未満のときには、算出蓄積熱量の値に応じて前記ファンまたはポンプの回転数を段階的に減少するように制御するように構成したものであるＸ線撮影装置の冷却システム。
【請求項３】
請求項１に記載のＸ線撮影装置の冷却システムにおいて、
蓄積熱量とファンまたはポンプの回転数とを予め相関付けた蓄積熱量―回転数相関テーブルを備え、冷却制御手段を、蓄積熱量算出手段で算出される蓄積熱量に応じて、前記蓄積熱量―回転数相関テーブルから対応する回転数を抽出し、前記ファンまたはポンプの回転数が抽出された回転数になるように制御するように構成したものであるＸ線撮影装置の冷却システム。
【請求項４】
請求項１、２、３のいずれかに記載のＸ線撮影装置の冷却システムにおいて、
Ｘ線照射準備から実際のＸ線照射開始までの間では、ファンまたはポンプの回転数を最大になるように設定するものであるＸ線撮影装置の冷却システム。
【請求項５】
請求項１、２、３のいずれかに記載のＸ線撮影装置の冷却システムにおいて、
発生熱量とファンまたはポンプの回転数とを予め相関付けた発生熱量―回転数相関テーブルを備え、Ｘ線照射準備から実際のＸ線照射開始までの間では、前記ファンまたはポンプの回転数を、発生熱量算出手段で算出される発生熱量に応じて、前記発生熱量―回転数相関テーブルから対応する回転数を抽出し、前記ファンまたはポンプの回転数が抽出された回転数になるように設定するものであるＸ線撮影装置の冷却システム。
【発明の詳細な説明】
【技術分野】
【０００１】
この発明は、被検体にＸ線を照射するＸ線管と、そのＸ線管から照射されて被検体を透過したＸ線を受光するＸ線検出手段と、Ｘ線管と配管を介して接続される熱交換器と、Ｘ線管と熱交換器とにわたって冷却用流体を循環するポンプと、熱交換器に付設されてＸ線管を経た冷却用流体を冷却するために空気を吹き付けるファンとを備えたＸ線撮影装置の冷却システムに関する。
【背景技術】
【０００２】
この種のＸ線撮影装置の冷却システムとしては、従来、次のようなものが知られている。
Ａ．第１従来例
Ｘ線管装置本体と絶縁媒体冷却熱交換器とが、絶縁媒体循環ポンプを介装した絶縁媒体配管を介して接続され、絶縁媒体が密封状態で循環するように構成されている。
絶縁媒体冷却熱交換器には、圧縮機、凝縮器、減圧手段が順次冷媒配管によって接続され、冷媒が密封された状態で循環する冷凍サイクルが構成されている。凝縮器には、送風機が付設されている。
【０００３】
以上のように絶縁媒体冷却器が構成され、これにより、圧縮機で高温高圧に圧縮されたガス状冷媒は、凝縮器において送風機による冷却を受け、高圧の液状冷媒となる。次に、減圧手段を通過して減圧された冷媒は、絶縁媒体冷却熱交換器において熱を受け取り蒸発し、ガス状冷媒となる。冷媒が蒸発する際には多量の熱を潜熱として受け取るため、コンパクトな熱交換器で被冷却媒体を低温にし、安定して冷却することができる。蒸発したガス状冷媒は再び圧縮機において圧縮され、以下、上述のサイクルを繰り返すようになっている。
【０００４】
絶縁媒体冷却器の動作を説明すれば、制御装置の制御によってＸ線管装置本体が動作し、Ｘ線の発生が開始すると同時に、絶縁媒体循環ポンプが起動する。Ｘ線管装置本体の絶縁媒体の出口配管に設けた温度検知手段により、絶縁媒体の出口温度が所定温度を超えたことを検知すると、制御装置が圧縮機、凝縮器に付設した送風機を起動して冷凍サイクルを起動する。
冷凍サイクルにより絶縁媒体冷却熱交換器で冷却された絶縁媒体は絶縁媒体循環ポンプによりＸ線管装置本体に供給され、Ｘ線管装置本体内のＸ線管を冷却する。更に、Ｘ線管を冷却して加熱された絶縁媒体は再び絶縁媒体冷却熱交換器に戻って冷却される。
【０００５】
冷凍サイクルにより絶縁媒体が十分に冷却され、温度検知手段により、絶縁媒体の出口温度が所定温度に低下したことを検知すると、制御装置が圧縮機、凝縮器に付設した送風機を停止して冷凍サイクルを停止する。
これにより、雰囲気空気温度が上昇しても、安定して絶縁媒体を介してＸ線管装置本体の冷却を行うことができるようにしている（特許文献１参照）。
【０００６】
Ｂ．第２従来例
Ｘ線管と絶縁媒体冷却熱交換器とが、絶縁媒体循環ポンプを介装した絶縁媒体配管を介して接続され、絶縁媒体が密封状態で循環するように構成されている。
絶縁媒体冷却熱交換器には、２次冷熱媒体空冷熱交換器と２次冷熱媒体冷却熱交換器とが、２次冷熱媒体循環ポンプを介装した配管を介して接続され、２次冷熱媒体が封入されて循環するように構成されている。
２次冷熱媒体冷却熱交換器に、圧縮機、凝縮器、減圧手段が順次配管によって接続され、冷媒が密封された状態で循環する冷凍サイクルが構成されている。
２次冷熱媒体空冷熱交換器および凝縮器それぞれには、送風ファンが付設されている。
【０００７】
以上のようにＸ線管冷却装置が構成され、これにより、Ｘ線管冷却装置への通電が行われると、絶縁媒体循環ポンプ、２次冷熱媒体循環ポンプ、および、２次冷熱媒体空冷熱交換器に付設した送風ファンの運転が開始される。Ｘ線管にＸ線放射指令が与えられると、Ｘ線管からＸ線が発生し、Ｘ線管内部のターゲットからの輻射伝熱により徐々に加熱された絶縁媒体は絶縁媒体冷却熱交換器で冷却され、他方、加熱された２次冷熱媒体は、２次冷熱媒体空冷熱交換器に供給され、外気空気により冷却された後、２次冷熱媒体空冷熱交換器、２次冷熱媒体循環ポンプを経て再び、絶縁媒体冷却熱交換器に供給される。一方、絶縁媒体冷却熱交換器で冷却された絶縁媒体は循環ポンプによりＸ線管に供給され、Ｘ線管を冷却し、加熱された絶縁媒体は再び絶縁媒体冷却熱交換器に戻って冷却される。
【０００８】
Ｘ線発生を継続するに従い、絶縁媒体および２次冷熱媒体の温度は上昇し、２次冷熱媒体空冷熱交換器の入口配管に設けた温度検知手段が所定温度を超えたことを検知すると、制御装置が圧縮機、凝縮器に付設した送風ファンを起動して冷凍サイクルを起動する。
この冷却能力の大きい冷凍サイクルの起動により、絶縁媒体冷却熱交換器への２次冷熱媒体の供給温度を低下させることができ、絶縁媒体冷却熱交換器において絶縁媒体の温度上昇を防止することができるように構成されている。
２次冷熱媒体が冷却され、温度検知手段が、２次冷熱媒体空冷熱交換器の入口温度が所定温度に低下したことを検知すると、制御装置が圧縮機、凝縮器に付設した送風ファンを停止して冷凍サイクルを停止する。冷凍サイクル停止後は２次冷熱媒体空冷熱交換器により引き続き冷却が行われる。
このように、空冷熱交換器と冷凍サイクルの二つの冷却装置を併用し、空冷熱交換器の入口あるいは出口温度により冷凍サイクルを制御するように冷却システムを構成することで、Ｘ線管に対して安定した冷却を行うことができるようにしている（特許文献２参照）。
【特許文献１】特開２００１−１８５３９６号公報
【特許文献２】特開２００２−１６４１９６号公報
【発明の開示】
【発明が解決しようとする課題】
【０００９】
しかしながら、上述第１従来例では、Ｘ線管装置本体の絶縁媒体の出口温度が設定範囲に維持されるようにしており、他方、第２従来例では、２次冷熱媒体空冷熱交換器の入口温度が設定範囲に維持されるようにしている。すなわち、Ｘ線の発生度合いのいかんにかかわらず、常に、同じ冷却性能が得られるようにしている。
そのため、管電圧や管電流が低かったり撮影時間が短いなど、Ｘ線管の温度が比較的低くてＸ線管に蓄積される熱量が少ない場合でも、ポンプや送風機を稼動し、消費電力が大きくて経済性が低下する問題や、ポンプや送風機の騒音が全体として大きいという問題があった。
また、温度変化に基づいているために、Ｘ線管の温度が上昇してから制御するものであり、冷却の開始が遅くなる不都合があった。
【００１０】
この発明は、上述のような事情に鑑みてなされたものであって、Ｘ線管の特性に着目して、冷却用流体の温度変化によらずに、必要最小限の冷却を早期に行うことができるようにすることを目的とする。
【課題を解決するための手段】
【００１１】
請求項１に係る発明は、上述のような目的を達成するために、次のような構成をとる。
すなわち、被検体にＸ線を照射するＸ線管と、前記Ｘ線管から照射されて被検体を透過したＸ線を受光するＸ線検出手段と、前記Ｘ線管と配管を介して接続される熱交換器と、前記Ｘ線管と前記熱交換器とにわたって冷却用流体を循環するポンプと、前記熱交換器に付設されて前記Ｘ線管を経た冷却用流体を冷却するために空気を吹き付けるファンとを備えたＸ線撮影装置の冷却システムにおいて、
前記Ｘ線管に入力する管電圧、管電流および撮影時間に基づいてＸ線照射に伴って発生する熱量を算出する発生熱量算出手段と、前記ファンまたはポンプの回転数と運転時間とに基づいて前記Ｘ線管に対する冷却熱量を算出する冷却熱量算出手段と、前記発生熱量算出手段で算出される発生熱量と前記冷却熱量算出手段で算出される冷却熱量とに基づいて前記Ｘ線管に蓄積される熱量を算出する蓄積熱量算出手段と、前記蓄積熱量算出手段で算出される蓄積熱量に基づいて算出蓄積熱量が多いほど前記ファンまたはポンプの回転数が高くなるように前記ファンまたはポンプの回転数を制御する冷却制御手段と、を備えた  ことを特徴としている。
【００１２】
（作用・効果）
種々の考察の結果、Ｘ線管がＸ線の照射に伴って発生する発生熱量は、入力条件である管電圧、管電流および撮影時間によって決まり、Ｘ線管を冷却する冷却熱量は、ファンまたはポンプの回転数と運転時間によって決まり、その結果、Ｘ線管に蓄積される蓄積熱量が、上記発生熱量と冷却熱量とに基づいて算出できることに見出すに至った。請求項１に係る発明のＸ線撮影装置の冷却システムの構成によれば、上記知見に基づいてなされたものであり、熱交換器の出口における冷却用流体の出口温度などを測定したりせずに、発生熱量と冷却熱量とに基づいて算出されたＸ線管の蓄積熱量に基づき、算出蓄積熱量が多いときには、ファンまたはポンプの回転数を高くして冷却熱量を増加させ、一方、算出蓄積熱量が少ないときには、ファンまたはポンプの回転数を低くして冷却熱量を減少させる。
したがって、Ｘ線管の冷却後の冷却用流体の温度変化に基づいて冷却熱量を制御するものでは無く、Ｘ線管に対する入力条件によって冷却熱量を算出し、冷却用流体の温度変化によらずにＸ線管の運転開始と同時に制御し、しかも、発生熱量と冷却熱量とに基づいて算出されたＸ線管の蓄積熱量に基づき、算出蓄積熱量が多いほどファンまたはポンプの回転数を高くするように制御するから、必要最小限の冷却を早期に行うことができ、消費電力を極力少なくして経済性を向上できるとともに、ポンプや送風機の騒音を極力小さくできる。
【００１３】
また、請求項２に係る発明は、請求項１に記載のＸ線撮影装置の冷却システムにおいて、
冷却制御手段を、蓄積熱量算出手段で算出される蓄積熱量が設定値以上のときにはファンまたはポンプの回転数を最大にし、設定値未満のときには、算出蓄積熱量の値に応じて前記ファンまたはポンプの回転数を段階的に減少するように制御するように構成する。
【００１４】
（作用・効果）
請求項２に係る発明のＸ線撮影装置の冷却システムの構成によれば、Ｘ線管照射による熱量の発生は急激に増大するものであり、所定の値を設定することで、その設定値を間にして、Ｘ線管で急激に熱量を発生している状態と冷却によってＸ線管の蓄積熱量が漸減している状態とに自ずと分かれることに着目し、算出蓄積熱量が設定値以上のときにはファンまたはポンプの回転数を最大にして早期にＸ線管を冷却し、算出蓄積熱量が設定値未満のときには、算出蓄積熱量の値に応じて前記ファンまたはポンプの回転数を段階的に減少させる。
したがって、消費電力を極力少なくして経済性を向上できるとともに、ポンプや送風機の騒音を極力小さくできる。
【００１５】
また、請求項３に係る発明は、請求項１に記載のＸ線撮影装置の冷却システムにおいて、
蓄積熱量とファンまたはポンプの回転数とを予め相関付けた蓄積熱量―回転数相関テーブルを備え、冷却制御手段を、蓄積熱量算出手段で算出される蓄積熱量に応じて、前記蓄積熱量―回転数相関テーブルから対応する回転数を抽出し、前記ファンまたはポンプの回転数が抽出された回転数になるように制御するように構成する。
【００１６】
（作用・効果）
請求項３に係る発明のＸ線撮影装置の冷却システムの構成によれば、Ｘ線管の蓄積熱量の変化に応じて、蓄積熱量とファンまたはポンプの回転数とを予め相関付けた蓄積熱量―回転数相関テーブルからファンまたはポンプの回転数を抽出し、その抽出した回転数になるようにファンまたはポンプの回転数を制御する。
したがって、より必要最小限の冷却を早期に行うことができ、消費電力を極力少なくして経済性を向上できるとともに、ポンプや送風機の騒音を極力小さくできる。
【００１７】
また、請求項４に係る発明は、請求項１、２、３のいずれかに記載のＸ線撮影装置の冷却システムにおいて、
Ｘ線照射準備から実際のＸ線照射開始までの間では、ファンまたはポンプの回転数を最大になるように設定するように構成する。
【００１８】
（作用・効果）
請求項４に係る発明のＸ線撮影装置の冷却システムの構成によれば、Ｘ線管の照射が開始される前に、冷却能力を最大にして冷却を開始することができる。
したがって、Ｘ線管の照射開始前においてＸ線管を冷却できるとともにＸ線管の照射開始に伴う熱量の発生に対して早期に効果的に冷却することができる。
【００１９】
また、請求項５に係る発明は、請求項１、２、３のいずれかに記載のＸ線撮影装置の冷却システムにおいて、
発生熱量とファンまたはポンプの回転数とを予め相関付けた発生熱量―回転数相関テーブルを備え、Ｘ線照射準備から実際のＸ線照射開始までの間では、前記ファンまたはポンプの回転数を、発生熱量算出手段で算出される発生熱量に応じて、前記発生熱量―回転数相関テーブルから対応する回転数を抽出し、前記ファンまたはポンプの回転数が抽出された回転数になるように設定するように構成する。
【００２０】
（作用・効果）
請求項５に係る発明のＸ線撮影装置の冷却システムの構成によれば、Ｘ線管に対する入力条件によって発生熱量が変動することに着目し、Ｘ線照射準備から実際のＸ線照射開始までの間のＸ線管に対する冷却を、入力条件に合わせて行う。
したがって、Ｘ線照射準備から実際のＸ線照射開始までの間におけるファンまたはポンプの運転による騒音発生を抑えながら、Ｘ線管の照射開始前においてＸ線管を冷却できるとともにＸ線管の照射開始に伴う熱量の発生に対して早期に効果的に冷却することができる。
【発明の効果】
【００２１】
以上説明したように、種々の考察の結果、Ｘ線管がＸ線の照射に伴って発生する発生熱量は、入力条件である管電圧、管電流および撮影時間によって決まり、Ｘ線管を冷却する冷却熱量は、ファンまたはポンプの回転数と運転時間によって決まり、その結果、Ｘ線管に蓄積される蓄積熱量が、上記発生熱量と冷却熱量とに基づいて算出できることに見出すに至った。請求項１に係る発明のＸ線撮影装置の冷却システムの構成によれば、上記知見に基づいてなされたものであり、熱交換器の出口における冷却用流体の出口温度などを測定したりせずに、発生熱量と冷却熱量とに基づいて算出されたＸ線管の蓄積熱量に基づき、算出蓄積熱量が多いときには、ファンまたはポンプの回転数を高くして冷却熱量を増加させ、一方、算出蓄積熱量が少ないときには、ファンまたはポンプの回転数を低くして冷却熱量を減少させる。
したがって、Ｘ線管の冷却後の冷却用流体の温度変化に基づいて冷却熱量を制御するものでは無く、Ｘ線管に対する入力条件によって冷却熱量を算出し、冷却用流体の温度変化によらずにＸ線管の運転開始と同時に制御し、しかも、発生熱量と冷却熱量とに基づいて算出されたＸ線管の蓄積熱量に基づき、算出蓄積熱量が多いほどファンまたはポンプの回転数を高くするように制御するから、必要最小限の冷却を早期に行うことができ、消費電力を極力少なくして経済性を向上できるとともに、ポンプや送風機の騒音を極力小さくできる。
【発明を実施するための最良の形態】
【００２２】
次に、この発明の実施例について、図面に基づいて詳細に説明する。
【実施例１】
【００２３】
図１は、この発明に係るＸ線撮影装置の実施例１の全体正面図であり、基台１に、被検体を搭載する天板２が設けられるとともに支柱３が設けられ、天板２の上方側において、被検体にＸ線を照射するＸ線管４が支柱３に設けられ、下方側において、Ｘ線管４から照射されて被検体を透過したＸ線を受光するＸ線検出手段としてのＸ線検出器５が設けられている。
【００２４】
Ｘ線管４には、図２のシステム構成図に示すように、循環用の配管６を介して空冷式の熱交換器７が接続されるとともに配管６にポンプ８が介装され、Ｘ線管４と熱交換器７とにわたって冷却用流体としての絶縁油を循環し、Ｘ線管４を冷却するように構成されている。熱交換器７には、Ｘ線管４を経た絶縁油を冷却するために空気を吹き付けるファン９が付設されている。冷却用流体としては、絶縁油に限らず、例えば、水などの各種の流体が使用可能である。
【００２５】
ポンプ８およびファン９には、それぞれに駆動用の所定の電力を入力する冷却制御装置１０が接続され、その冷却制御装置１０に、高電圧発生装置１１で設定される入力条件である管電圧、管電流および撮影時間が入力されるように構成されている。
【００２６】
図３の冷却制御構成のブロック図に示すように、冷却制御装置１０に冷却制御手段としてのコントローラ１２が備えられ、そのコントローラ１２に、管電圧設定手段１３、管電流設定手段１４、撮影時間設定手段１５、照射開始スイッチ１６、照射準備スイッチ１７およびファン９が接続されている。照射開始スイッチ１６と照射準備スイッチ１７とは、個別に備えられるものに限らず、例えば、１段目で照射準備ＯＮに、そして、その後の深押しによって照射開始ＯＮになるように構成されるものでも良い。
【００２７】
コントローラ１２には、発生熱量算出手段１８、カウンタ１９、ファン回転数設定手段２０、冷却熱量算出手段２１、蓄積熱量算出手段２２、比較手段２３、最大回転数指令手段２４、回転数減少指令手段２５およびファン駆動手段２６が備えられている。
【００２８】
発生熱量算出手段１８では、管電圧設定手段１３で設定される管電圧、管電流設定手段１４で設定される管電流、および、撮影時間設定手段１５で設定される撮影時間、すなわち、Ｘ線管４に入力する入力条件（Ｘ線管運転条件）に基づいてＸ線照射に伴って発生する熱量を算出するようになっている。
【００２９】
カウンタ１９では、照射開始スイッチ１６のＯＮに伴って起動されるようになっている。
ファン回転数設定手段２０では、照射準備スイッチ１７のＯＮに伴って、ファン９の回転数を最大に設定するようになっている。また、照射開始スイッチ１６をＯＮ操作した後では、後述する最大回転数指令手段２４からの指令に基づいて、ファン９の回転数を最大に、そして、回転数減少指令手段２５からの指令に基づいて、ファン９の回転数を所定割合減少した回転数にそれぞれ設定するようになっている。ファン回転数設定手段２０では、これらの設定に基づき、設定した回転数の信号をファン駆動手段２６に出力するようになっている。カウンタ１９では、設定回転数が変わるたびにリセットされるようになっている。
【００３０】
冷却熱量算出手段２１では、カウンタ１９でカウントされる運転時間と、ファン回転数設定手段２０からのファン９の回転数とに基づいて、Ｘ線管４に対する冷却熱量を積算して算出するようになっている。
蓄積熱量算出手段２２では、発生熱量算出手段１８で算出される発生熱量と冷却熱量算出手段２１で算出される冷却熱量とに基づいてＸ線管４に蓄積される熱量を算出するようになっている。すなわち、発生熱量から冷却熱量を減算することでＸ線管４に蓄積される熱量を算出している。
【００３１】
比較手段２３では、蓄積熱量算出手段２２で算出される蓄積熱量と設定値とを比較し、蓄積熱量が設定値以上のときには、最大回転数指令手段２４からファン回転数設定手段２０に指令信号を出力し、ファン９の回転数を最大にし、設定値未満のときには、回転数減少指令手段２５からファン回転数設定手段２０に、算出蓄積熱量の値に応じて所定割合減少した回転数の指令信号を出力し、ファン９の回転数を段階的に減少するようになっている。
ファン駆動手段２６では、ファン回転数設定手段２０からの設定回転数の信号に応答して、設定回転数に対応する駆動出力をファン９に出力し、設定した回転数でファン９を駆動させるようになっている。
【００３２】
上記構成によるＸ線管４における発生熱量、蓄積熱量および冷却熱量の経時的変化は、図４に示す通りである。
すなわち、照射準備スイッチ１７をＯＮしてＸ線管４に対してＸ線の照射準備を行うに伴い（発生熱量の白抜き部分、ここでは熱は発生していない）、ファン９の回転数が最大に設定されて冷却可能な冷却熱量が最大量まで上昇する。その後、運転開始スイッチ１６がＯＮされてＸ線の照射が開始されるに伴い、Ｘ線管４で多量の熱が発生する（発生熱量の塗りつぶし部分）。その時点で、すでに冷却熱量が最大になっており、発生した熱がＸ線管４に徐々に蓄積されながら最大に達した後、冷却によって蓄積熱量が減少する。蓄積熱量が設定上の最大量の約４０％程度（設定値）まで減少するまでは、ファン９の回転数が最大の状態（冷却熱量が最大の状態）を維持し、それよりも減少すると、設定回転数（例えば、最大の状態の２５％）づつ減少させ、消費電力少なく、かつ騒音を小さくしながら、必要最小限の冷却を行う。
【実施例２】
【００３３】
図５は、この発明に係るＸ線撮影装置の冷却システムの実施例２の冷却制御構成のブロック図であり、実施例１と異なるところは、次の通りである。
すなわち、コントローラ１２において、実施例１における比較手段２３、最大回転数指令手段２４および回転数減少指令手段２５に代えて、ファン回転数抽出手段３１および蓄積熱量―回転数相関テーブル３２が備えられている。
蓄積熱量―回転数相関テーブル３２では、次のように、蓄積熱量とファン９の回転数とが、蓄積熱量が多いほどファン９の回転数が高くなるように予め相関付けられている。なお、蓄積熱量の設定上の最大量を１００％とし、ファン９の回転数が最大の状態を１００％とし、それぞれ比率（％）で示している。
蓄積熱量（％）      90-100 80-90 70-80 60-70 50-60 40-50 30-40 20-30 10-20 0-10
ファンの回転数（％）  100   90    80   70   60    50   40   30    20   10
【００３４】
ファン回転数抽出手段３１では、蓄積熱量算出手段２２で算出される蓄積熱量に応じて、蓄積熱量―回転数相関テーブル３２から対応する回転数を抽出し、ファン回転数設定手段２０に指令信号を出力し、ファン９の回転数を抽出された回転数に設定し、その回転数でファン９を駆動するようになっている。他の構成は実施例１と同じであり、同一図番を付すことによりその説明は省略する。
【実施例３】
【００３５】
図６は、この発明に係るＸ線撮影装置の冷却システムの実施例３の冷却制御構成のブロック図であり、実施例２と異なるところは、次の通りである。
すなわち、コントローラ１２において、準備ファン回転数抽出手段４１と発生熱量―回転数相関テーブル４２とが備えられ、発生熱量算出手段１８からの発生熱量が準備ファン回転数抽出手段４１に入力されるようになっている。
発生熱量―回転数相関テーブル４２では、Ｘ線管４に対する入力条件の違いに応じて、次のように、それぞれの発生熱量とファン９の回転数とが予め相関付けられている。なお、発生熱量としては、最大の入力条件時のものを１００％とし、９０％の場合、８０％の場合、７０％の場合の４段階がある場合で示している。また、ファン９の回転数が最大の状態を１００％とし、それぞれ比率（％）で示している。
発生熱量（％）        １００    ９０    ８０    ７０
ファンの回転数（％）  １００    ９５    ９０    ８５
【００３６】
準備ファン回転数抽出手段３１では、照射準備スイッチ１７のＯＮ操作に伴い、発生熱量算出手段１８からの発生熱量に応じて、発生熱量―回転数相関テーブル４２から対応する回転数を抽出し、ファン回転数設定手段２０に指令信号を出力し、ファン９の回転数を抽出された回転数に設定し、その回転数でファン９を駆動するようになっている。他の構成は実施例２と同じであり、同一図番を付すことによりその説明は省略する。
【００３７】
上記実施例では、冷却熱量の増減をファン９の回転数の増減で行うように構成しているが、この発明としては、ポンプ８の回転数の増減で行うように構成するものでも良い。
【図面の簡単な説明】
【００３８】
【図１】この発明に係るＸ線撮影装置の実施例１の全体正面図である。
【図２】Ｘ線撮影装置の冷却システムの実施例１のシステム構成図である。
【図３】実施例１の冷却制御構成を示すブロック図である。
【図４】Ｘ線管における発生熱量、蓄積熱量および冷却熱量の経時的変化を示すグラフである。
【図５】Ｘ線撮影装置の冷却システムの実施例２のシステム構成図である。
【図６】Ｘ線撮影装置の冷却システムの実施例３のシステム構成図である。
【符号の説明】
【００３９】
４…Ｘ線管
５…Ｘ線検出器（Ｘ線検出手段）
６…配管
７…熱交換器
８…ポンプ
９…ファン
１２…コントローラ（冷却制御手段）
１８…発生熱量算出手段
２１…冷却熱量算出手段
２２…蓄積熱量算出手段
３２…蓄積熱量―回転数相関テーブル
４２…発生熱量―回転数相関テーブル
【図１】
2008053061.tif 000003
【図２】
2008053061.tif 000004
【図３】
2008053061.tif 000005
【図４】
2008053061.tif 000006
【図５】
2008053061.tif 000007
【図６】
2008053061.tif 000008